(57)【要約】  【課題】  透明板上に載置された原稿の不用意な位置ずれを確実に防止できる画像読取装置を提供する。  【解決手段】  画像読取装置１は、原稿Ｐが載置される透明板３と、透明板３を開閉する原稿押さえ１２と、透明板３の下方から光を照射する光源４と、光源４から照射された原稿Ｐの反射光を反射させ集光する光学系である第１〜第３ミラー５〜６及び集光レンズ８と、この光学系を経た光を受光する固体撮像部９と、を備える。透明板３の上面に、互いに正負それぞれの電荷が帯電される線状の第１電極パターン３１，第２電極パターン３２を形成している。透明板３上の原稿Ｐは、帯電された第１電極パターン３１，第２電極パターン３２に静電誘導の作用で吸い付けられ、透明板３上に吸着されて固定される。【選択図】      図２
2005070588.tif 000002
【特許請求の範囲】
【請求項１】
原稿が載置される透明板と、一端を支軸に回動され前記透明板を開閉する原稿押さえと、前記透明板の下方から光を照射する光源と、を備えた画像読取装置において、
前記透明板の上面に、互いに正負それぞれの電荷が帯電される線状の電極パターンを形成したことを特徴とする画像読取装置。
【請求項２】
前記電極パターンはともに櫛形であって、互いの歯が互いの歯の隙間に交互に配置されていることを特徴とする請求項１に記載の画像読取装置。
【請求項３】
前記電極パターンとともに前記透明板の上面が透明な電気絶縁体の薄膜で被覆されていることを特徴とする請求項１又は２に記載の画像読取装置。
【請求項４】
前記原稿押さえの開閉動作を検知する開閉検知手段を備えており、この開閉検知手段が前記原稿押さえの開き動作を検知すると、前記電極パターンの帯電が解除され、他方前記原稿押さえの閉じ動作を検知すると、前記電極パターンが帯電されることを特徴とする請求項１から３のいずれかに記載の画像読取装置。
【発明の詳細な説明】
【技術分野】
【０００１】
本発明は、スキャナとして単体で用いられたり、複写機やファクシミリ等に搭載されたりして、原稿の画像を読み取る画像読取装置に関する。
【背景技術】
【０００２】
従来一般の画像読取装置は、原稿が載置されるガラス等の透明板（以下、「コンタクトガラス」と記すことがある）を上面に有する箱型のケースで外形が構成される。このケースの内部には、大きくは、コンタクトガラスの下方から光を照射する光源と、この光源から照射されて原稿の画像面で反射した光を反射させ集光する光学系と、この光学系で集光された光を受光して電気信号に変換する固体撮像部と、が収容されている。
【０００３】
一方、ケースの上方には、ケースに対して一端を支軸に回動可能に原稿押さえが設けられている。この原稿押さえは、コンタクトガラス上に原稿を着脱する際に開閉され、閉じた状態で、その内面でコンタクトガラス上の原稿を押さえつつ、外乱光を遮蔽する役割を果たす。また、原稿押さえの内面には、ほぼ全域に亘って、原稿を直接押さえる白色プレート（自動原稿送り機能を備えない原稿押さえの場合）や白色ベルト（自動原稿送り機能を備える場合）といった押さえ部が設けられている。その他、このような画像読取装置には、原稿押さえの開閉動作を検知する開閉検知手段や、コンタクトガラス上の原稿のサイズを検知する光センサ等が設けられている。
【０００４】
このような構成のもと、コンタクトガラスガラス上の所定位置に原稿をセットして原稿押さえを閉じた状態で、原稿の画像面に向けて光源から光が照射され、その反射光が光学系を通じて固体撮像部に導かれ、この固体撮像部で原稿画像が電気信号として取得される（読み取られる）。
【０００５】
ところでその際、原稿のもともとの折れ曲がりやカール等に起因して、原稿にコンタクトガラスから浮く部分が生じると、その部分の画像の読み取り焦点がずれ、その結果、読み取った原稿画像の画質が悪化してしまう。特に原稿画像がカラーの場合は、色の再現性も損なわれる。
【０００６】
そこで、このような原稿の浮きを防止するために、従来一般には、閉じた原稿押さえの押さえ部で原稿をコンタクトガラスに押さえ付けるようになっている（例えば、特許文献１参照）。例えば、原稿押さえ本体と押さえ部との間に一定厚さのスポンジ等の多孔質材を介装し、これにより、原稿押さえを閉じた状態で、押さえ部には多孔質材の弾発力が均一に与えられ、そのまま押さえ部で原稿を全域に亘ってコンタクトガラスに押さえ付けることができる。
【特許文献１】特開平９−２６１４２２号公報
【発明の開示】
【発明が解決しようとする課題】
【０００７】
しかし、上記した従来の画像読取装置においては、原稿押さえを閉じた状態では、原稿は押さえ部で押さえ付けられて拘束されるため、部分的に浮くこともなくその位置も固定されているが、原稿押さえの完全に閉じていない開閉中、すなわちコンタクトガラスと押さえ部とが離間している段階では、コンタクトガラス上の原稿は何ら拘束されていない。
【０００８】
そのため、コンタクトガラス上に原稿を所定位置にセットした後、原稿押さえを閉じる最中に（勢いよく閉じる最中は特に）、原稿押さえから原稿に空気の正圧が作用し、これにより原稿が吹き飛ばされる様相となり、セットされた所定位置から不用意に移動してずれてしまう場合がある。この場合、そのまま画像の読取動作が行われると、所望の画像に対してその一部の画像の読み取りが欠落したり、光センサによる原稿サイズの検知が結果として誤検知となって、期待する原稿サイズとは異なる原稿サイズの画像が取得されたりするという不都合が生じる。
【０００９】
他方、コンタクトガラス上に原稿を所定位置にセットして原稿押さえを閉じた後、その原稿の位置を確認しようとして、原稿押さえを開く最中に（勢いよく開く最中は特に）、原稿押さえとコンタクトガラスとの間の空気に負圧が作用し、これにより原稿が原稿押さえの押さえ部に引き寄せられて浮上する様相となり、やはり不用意に移動してずれてしまう場合がある。この場合、改めて原稿を所定位置にセットし直すという煩雑さが生じる。
【００１０】
なお、このような問題は、折れ曲がりやカール等の不定形な部分を有する原稿はもとより、不定形な部分の無い原稿であっても生じる。
【００１１】
そこで本発明は、上記の問題に鑑みてなされたものであり、透明板上に載置された原稿の不用意な位置ずれを確実に防止できる画像読取装置を提供することを目的とするものである。
【課題を解決するための手段】
【００１２】
上記目的を達成するため、本発明による画像読取装置は、原稿が載置される透明板と、一端を支軸に回動され前記透明板を開閉する原稿押さえと、前記透明板の下方から光を照射する光源と、を備えた画像読取装置において、前記透明板の上面に、互いに正負それぞれの電荷が帯電される線状の電極パターンを形成している。
【００１３】
これにより、原稿は、正負それぞれの電荷が帯電された電極パターンに静電誘導の作用で吸い付けられ、その結果、透明板上に吸着されて固定される。
【００１４】
ここで、原稿に対しての電極パターンの静電誘導による吸い付け作用を有効に引き出す目的で、実用的には、前記電極パターンはともに櫛形であって、互いの歯が互いの歯の隙間に交互に配置されていることが好ましい。
【００１５】
また、使用者が電極パターンに触れても感電しないよう感電防止するとともに、電極パターンが不用意に損傷しないようにする観点から、前記電極パターンとともに前記透明板の上面が透明な電気絶縁体の薄膜で被覆されていることが好ましい。
【００１６】
また、原稿の着脱の際に原稿が必要以上に透明板上に吸着されることなく容易に着脱できるようにする観点から、前記原稿押さえの開閉動作を検知する開閉検知手段を備えており、この開閉検知手段が前記原稿押さえの開き動作を検知すると、前記電極パターンの帯電が解除され、他方前記原稿押さえの閉じ動作を検知すると、前記電極パターンが帯電されることが好ましい。
【発明の効果】
【００１７】
本発明の画像読取装置によれば、原稿は、正負それぞれの電荷が帯電された電極パターンに静電誘導の作用で吸い付けられ、その結果、透明板上に吸着されて固定されるため、原稿押さえを閉じた状態では勿論のこと、原稿押さえの完全に閉じていない開閉中であっても、透明板上の原稿がセットされた所定位置から不用意にずれることは無い。
【発明を実施するための最良の形態】
【００１８】
以下に、本発明の実施形態について図面を参照しながら詳述する。先ず、本発明の第１実施形態である画像読取装置について説明する。図１は第１実施形態の画像読取装置の概略構成を示す縦断面図であって、図１（ａ）は原稿押さえの閉じた状態を示し、図１（ｂ）は原稿押さえの開いた状態を示す。また、図２はその画像読取装置の要部を示す上面図、図３はその画像読取装置の動作を示すフローチャートである。
【００１９】
先ず、画像形成装置の概略構成について図１を参照しながら説明する。画像読取装置１は、上面が開口された箱型のケース２で外形が構成され、このケース２の上面には、原稿Ｐが載置されるコンタクトガラス３を有する。ケース２の内部には、大きくは、コンタクトガラス３の下方から光を照射するＬＥＤアレイや蛍光管ランプ等の光源４と、この光源から照射されて原稿Ｐの画像面で反射した光を反射させる第１ミラー５，第２ミラー６，第３ミラー７と、これらの第１〜第３ミラー５〜７で反射した光を集光する集光レンズ８と、この集光レンズ８で集光された光を受光して電気信号に変換するＣＣＤ等の固体撮像部９と、が収容されている。これらのうちで第１〜第３ミラー５〜７、及び集光レンズ８より、本発明で言う光学系が構成される。
【００２０】
また、ケース２の内部には、コンタクトガラス３に沿って往復移動可能に、相互に独立した第１移動ユニット１０、第２移動ユニット１１が支持されており、第１移動ユニット１０には光源４及び第１ミラー５が搭載され、他方の第２移動ユニット１１には第２，第３ミラー６，７が搭載されている。
【００２１】
このような構成のもと、コンタクトガラス３上の原稿Ｐの画像面に向けて光源４から光が照射され、原稿Ｐからのその反射光が光学系を通じて固体撮像部９に導かれ、この固体撮像部９で原稿画像が電気信号として取得される（読み取られる）という画像読取装置１そのものの基本機能が達成される。なお、第１，第２移動ユニット１０，１１は、原稿Ｐ全域に亘って走査すべく往復移動せられるわけであるが、その際、第１移動ユニット１０は、第２移動ユニット１１に対して常時２倍の速度で移動するようになっており、これにより固体撮像部９に達する光の焦点距離、すなわち光路長が常に一定になる。図１（ａ）において、その光路を一点鎖線で示す。
【００２２】
一方、ケース２の上方には、ケース２に対して一端を支軸に回動可能にヒンジ等で連結された原稿押さえ１２が設けられている。具体的には、ケース２の一端（図１では右側）には、原稿押さえ支持部材２０が外方に突設されていて、原稿押さえ１２は、その原稿押さえ支持部材２０の上端に設けられたヒンジにより支持されている。なお、原稿押さえ支持部材２０をケース２の一端の内方に設けても構わない。また、原稿押さえ１２は、内面のほぼ全域に亘って、白色プレートである押さえ部１３を備えていて、コンタクトガラス３上に原稿Ｐを着脱する際に開閉され、閉じた状態で、その押さえ部１３でコンタクトガラス３上の原稿を押さえつつ、外乱光を遮蔽する役割を果たす。
【００２３】
また、画像読取装置１には、原稿押さえ１２の開閉動作を検知する開閉検知手段１４や、コンタクトガラス３上の原稿Ｐのサイズを検知する光センサ１５や、不図示の入力操作キー、表示部等が設けられている。
【００２４】
具体的には、先ず開閉検知手段１４は、原稿押さえ１２の回動支軸例えばヒンジの近傍であって、ケース２の上面から突出し上方に向けてバネ等で付勢された可動棒１６と、この可動棒１６の中段に設けられた突片１７と、原稿押さえ１２の内面に設けられ可動棒１６の上端を押し下げる突起１８と、原稿押さえ支持部材２０の中段に設けられ、原稿押さえ１２の閉じた状態において突片１７を水平方向で挟むコの字状の受発光センサ１９と、よりなる。これらのうちで受発光センサ１９は、相互に対向するコの字状の一端部に、赤外線等を発する発光ダイオードである発光素子を備え、他端部に、フォトダイオードである受光素子を備える。
【００２５】
このような構成のもと、原稿押さえ２の閉じた状態（図１（ａ）参照）では、可動棒１６が突起１８で押し下げされて、突片１７が受発光センサ１９の発光素子と受光素子との間を遮っており、これにより、発光素子からの光が受光素子に届かず、開閉スイッチＯＮの状態にある。この状態から原稿押さえ１２を開いていくと、これとともに可動棒１６が上昇して、突片１７が受発光センサ１９の発光素子と受光素子との間から外れる（図１（ｂ）参照）。これにより、発光素子からの光が受光素子に達して、開閉スイッチＯＦＦの状態となり、原稿押さえ１２の開き動作が検知される。そして、原稿押さえ１２の開いた状態となる。
【００２６】
更にこの状態から原稿押さえ１２を閉じていくと、これとともに可動棒１６が突起１８で押し下げられて下降し、突片１７が受発光センサ１９の発光素子と受光素子との間を遮る。これにより、発光素子からの光が受光素子に届かなくなり、開閉スイッチＯＮの状態となる。その結果、原稿押さえ１２の閉じ動作が検知される。そして、原稿押さえ１２の閉じた状態となる。このようにして開閉検知手段１４により原稿押さえ１２の開閉動作が検知できる。
【００２７】
一方光センサ１５は、フォトダイオードである受光素子であり、コンタクトガラス３の下方であって複数のサイズ毎に定められた複数の所定個所に配設されている。そして、使用者が原稿押さえ１２を開いて原稿Ｐをコンタクトガラス３上の所定位置にセットし、原稿押さえ１２を閉じていくと、開閉検知手段１４で開閉スイッチがＯＮとなるが、その直後すなわち原稿押さえ１２が完全に閉じていない段階で、光源４から光が照射され、原稿Ｐからのその反射光が各光センサ１５に達したか否かで原稿Ｐのサイズが検知される。
【００２８】
ここで原稿押さえ１２が完全に閉じた段階では、押さえ部１３からの反射光も各光センサ１５に達するため、原稿Ｐのサイズ検知を事実上行えない。そのため、原稿押さえ１２が完全に閉じていない、すなわちコンタクトガラス３と押さえ部１３とが若干離間している段階で原稿Ｐのサイズ検知を行うわけである。
【００２９】
また、本実施形態では、コンタクトガラス３上の所定位置にセットされた原稿Ｐをその位置に確実に固定するための格別な工夫を施している。つまり、図２に示すように、コンタクトガラス３の上面には、互いに対となる線状で櫛形の透光性の導電膜で形成された第１電極パターン３１，第２電極パターン３２が全域に亘って形成されている。第１電極パターン３１，第２電極パターン３２は、相互に対称であって、互いの歯３１ａ，３２ａが互いの歯３２ａ，３１ａの隙間に交互に配置されている。更に、第１電極パターン３１，第２電極パターン３２は、それぞれ配線３３，３４により電極用電源３５に接続されている。なお、第１電極パターン３１、第２電極パターン３２を形成する透光性の導電膜としては、インジウム・スズ・酸化物（ＩＴＯ）、酸化錫（ＳｎＯ2）、酸化鉛（ＰｂＯ）、酸化インジウム（Ｉｎ2Ｏ3）、ヨウ化銅（ＣｕＩ）や、Ａｕ、Ａｇ、Ｎｉ、Ａｌ等からなる透光性を維持した金属薄膜が用いられる。
【００３０】
但し、第１電極パターン３１，第２電極パターン３２の膜厚が大きすぎると、原稿Ｐの画像の読取動作に際して、原稿Ｐの画像面に照射される光源４からの光やその反射光の障害となるため、これを考慮して、その膜厚が０．０１〜１０μｍ程度、好ましくは０．０５〜５μｍ程度であることが望ましい。
【００３１】
このような構成もと、電極用電源３５がＯＮされると、第１電極パターン３１，第２電極パターン３２に電圧が印加され、これにより、例えば、第１電極パターン３１には正の電荷が帯電され、他方第２電極パターン３２には負の電荷が帯電されるようになる。一方、電極用電源３５がＯＦＦされると、第１電極パターン３１，第２電極パターン３２への電圧印加が停止され、これにより、第１電極パターン３１，第２電極パターン３２の帯電が解除されるようになる。なお、第１電極パターン３１，第２電極パターン３２と並列に配線３３，３４に接続された抵抗３６は、第１電極パターン３１，第２電極パターン３２への印加電圧を適正値に調整する役割を果たす。
【００３２】
ここで、コンタクトガラス３上への第１電極パターン３１，第２電極パターン３２の形成手法としては、例えば、コンタクトガラス３の上面に、第１電極パターン３１，第２電極パターン３２の形状と一致する貫通孔を有したマスキングを施し、ここにＣＶＤ法（化学気相成長法）やＰＶＤ法（物理気相成長法）等により酸化錫等の導電膜を形成することで簡単に行える。なお、一般的な半導体ＩＣの製造工程のうちの前工程における成膜工程及びリソグラフィ工程（写真蝕刻）を利用しても形成できる。その他にも、真空蒸着法、活性反応蒸着法、各種スパッタリング法、浸漬塗工法、スプレー塗工法等が利用される。
【００３３】
続いて、このような構成の画像読取装置１の動作について、図３を主として参照しながら説明する。先ず、原稿押さえ１２の閉じた状態（図１（ａ）参照）にあって、この状態では、開閉検知手段１４の開閉スイッチがＯＮとなっている。また、電極用電源３５もＯＮとなっていて、第１電極パターン３１，第２電極パターン３２に電圧が印加されている。つまり、第１電極パターン３１，第２電極パターン３２には、正負それぞれの電荷が帯電されている。この状態から、ステップ＃５で原稿押さえ１２が開かれ始める。
【００３４】
次いで、ステップ＃１０で開閉検知手段１４の開閉スイッチがＯＦＦとなる。この開閉スイッチＯＦＦを受けて、ステップ＃１５で電極用電源３５がＯＦＦとなり、第１電極パターン３１，第２電極パターン３２への電圧印加が停止される。これにより、第１電極パターン３１，第２電極パターン３２の帯電が解除される。そのまま原稿押さえ１２が開かれて、ステップ＃２０で開きが完了し（図１（ｂ）参照）、ステップ＃２５でコンタクトガラス３上の所定位置への原稿Ｐのセットが行われる。
【００３５】
コンタクトガラス３上への原稿Ｐのセットが行われた後、ステップ＃３０で原稿押さえ１２が閉じられ始める。次いで、ステップ＃３５で開閉検知手段１４の開閉スイッチがＯＮとなる。この開閉スイッチＯＮを受けて、ステップ＃４０で電極用電源３５がＯＮとなり、第１電極パターン３１，第２電極パターン３２に電圧が印加される。これにより、第１電極パターン３１，第２電極パターン３２には、正負それぞれの電荷が帯電され、コンタクトガラス３上の原稿Ｐは、帯電された第１電極パターン３１，第２電極パターン３２に静電誘導（厳密に言えば、誘電分極）の作用で吸い付けられる。その結果、原稿Ｐはコンタクトガラス３上に吸着されて固定される。従って、そのまま原稿押さえ１２が閉じられて、原稿Ｐに正圧が作用しても、原稿Ｐはセットされた所定位置から不用意にずれることは無い。なお、電極用電源３５から印加される電圧は、第１電極パターン３１、第２電極パターン３２の形状、膜厚、幅等によって適宣設定されるが、５００Ｖ〜１ｋＶ程度である。
【００３６】
次いで、ステップ＃４５で原稿Ｐのサイズ検知が行われ、そのまま原稿押さえ１２が完全に閉じられて、ステップ＃５０で閉じが完了する。そして、原稿Ｐに対する画像の読取動作に移行するが、その前に今一度原稿Ｐの位置を確認しようとする場合は、ステップ＃５に戻り、原稿押さえ１２を開く。その際、開閉検知手段１４の開閉スイッチがＯＦＦされるまで（ステップ＃１０）、すなわち電極用電源３５がＯＦＦされるまで（ステップ＃１５）は、第１電極パターン３１，第２電極パターン３２に電圧が印加されているため、原稿Ｐは静電誘導の作用でコンタクトガラス３上に吸着されて固定されており、原稿押さえ１２とコンタクトガラス３との間の空気に負圧が作用しても、やはり原稿Ｐはセットされた所定位置から不用意にずれることは無い。
【００３７】
このように、本発明の画像読取装置１では、原稿Ｐは、正負それぞれの電荷が帯電された第１電極パターン３１，第２電極パターン３２に静電誘導の作用で吸い付けられ、その結果、コンタクトガラス３上に吸着されて固定されるため、原稿押さえ１２を閉じた状態では勿論のこと、原稿押さえ１２の完全に閉じていない開閉中であっても、コンタクトガラス３上の原稿Ｐの不用意な位置ずれを確実に防止できる。
【００３８】
また、開閉検知手段１４の開閉スイッチＯＦＦ、すなわち原稿押さえ１２の開き動作を受けると、電極用電源３５のＯＦＦ、すなわち第１電極パターン３１，第２電極パターン３２の帯電が解除され、他方開閉検知手段１４の開閉スイッチＯＮ、すなわち原稿押さえ１２の閉じ動作を受けると、電極用電源３５のＯＮ、すなわち第１電極パターン３１，第２電極パターン３２が帯電されるため、原稿Ｐの着脱の際に原稿Ｐが必要以上にコンタクトガラス３上に吸着されることはなく容易に着脱できる。
【００３９】
また、第１電極パターン３１，第２電極パターン３２がコンタクトガラス３の上面全域に亘って形成されているため、あらゆるサイズの原稿Ｐに対して静電誘導による吸い付け作用を有効に引き出すことができる。実用的には、上記したように櫛形であることが好ましいが、電荷が帯電される限り形状に限定は無い。
【００４０】
次に、本発明の第２実施形態について、図４を参照しながら説明する。なお、図中で図１〜図３と同じ名称で同じ機能を果たす部分には同一の符号を付し、重複する説明は省略する。
【００４１】
本第２実施形態では、図４に示すように、コンタクトガラス３の上面が、形成された第１電極パターン３１，第２電極パターン３２（図４では不図示）とともに、光の透過率の高い透明な電気絶縁体、例えば透光性樹脂の薄膜３７で被覆されている。これにより、使用者が第１電極パターン３１，第２電極パターン３２に直接触れる状況は無く、感電を確実に防止することができる。これと併せて、第１電極パターン３１，第２電極パターン３２の不用意な損傷も防止できる。但し、薄膜３７の厚さは、原稿Ｐに対しての第１電極パターン３１，第２電極パターン３２の静電誘導による吸い付け作用に支障を来たさないように、５〜１００μｍ程度、好ましくは１０〜５０μｍ程度であることが望ましい。なお、薄膜３７を透光性樹脂で形成する場合、アクリル樹脂、特にメタクリル酸メチルエステルモノマーを用い重合したものが、透明性、強度、精度、表面性等において優れており好ましく用いられるが、その他一般光学部材等に使用されるフッ素、ポリエステル、ポリカーボネート、ポリエチレンテレフタレート等の樹脂が使用可能で、透光性樹脂を有機溶剤に溶解させておいて、浸漬塗工法、スプレー塗工法等により塗布、乾燥させることにより成膜される。また、予め透光性樹脂をフィルム状に成型しておきフィルムをコンタクトガラス３の上面に被覆させてもよい。
【００４２】
その他本発明は上記の実施形態に限定されず、本発明の趣旨を逸脱しない範囲で、種々の変更が可能である。例えば、上記した実施形態では、原稿押さえ１２が自動原稿送り機能を備えないものを前提としているため、その押さえ部１３が白色プレートであるが、自動原稿送り機能を備えた原稿押さえ１２でも構わず、この場合の押さえ部１３は白色ベルトとなる。また、以上の実施形態の説明はデジタル光学系の画像読取装置についてであるが、本発明はアナログ光学系の画像読取装置にも適用されることは言うまでもない。
【産業上の利用可能性】
【００４３】
本発明は、原稿の画像を読み取る画像読取装置に有用である。
【図面の簡単な説明】
【００４４】
【図１】本発明の第１実施形態の画像読取装置の概略構成を示す縦断面図である。
【図２】第１実施形態の画像読取装置の要部を示す上面図である。
【図３】第１実施形態の画像読取装置の動作を示すフローチャートである。
【図４】本発明の第２実施形態の画像読取装置の概略構成を示す縦断面図である。
【符号の説明】
【００４５】
１    画像読取装置
２    ケース
３    コンタクトガラス（透明板）
４    光源
５    第１ミラー（光学系）
６    第２ミラー（光学系）
７    第３ミラー（光学系）
８    集光レンズ（光学系）
９    固体撮像部
１０    第１移動ユニット
１１    第２移動ユニット
１２    原稿押さえ
１３    押さえ部
１４    開閉検知手段
１５    光センサ
３１    第１電極パターン
３２    第２電極パターン
３３，３４    配線
３５    電極用電源
３７    薄膜
Ｐ    原稿
【図１】
2005070588.tif 000003
【図２】
2005070588.tif 000004
【図３】
2005070588.tif 000005
【図４】
2005070588.tif 000006